Podtech/llm-jp-corpus-v4-ja_patent huggingface dataset:
(57)【要約】      （修正有）【課題】指先を温め、幾度も繰り返して使用可能な省エネのカイロ機能を有し、見栄えの良い携帯ストラップを提供する。【解決手段】酢酸ナトリウム・三水和物の過飽和溶液４とこの過飽和状態を壊すために金属片５が密封された可逆性発熱部材３が、予め設けられたぬいぐるみ２側面の出し入れ口からぬいぐるみ２内部に脱着出来るようにした構成であるため、カイロとしての機能を果たしつつ、ぬいぐるみが様々な形態に設定・適用出来るので、例えば食品や食材であればその発熱により、出来たての感じが、又、猫のような動物の形にすれば体温を感じるように生きている感じが演出出来る携帯ストラップ１となる。【選択図】図１
0003147326.tif 000002
【実用新案登録請求の範囲】
【請求項１】
酢酸ナトリウム・三水和物の過飽和溶液（４）とこの過飽和状態を壊すために金属片（５）が密封された可逆性発熱部材（３）が、予め設けられたぬいぐるみ（２）側面の出し入れ口（６）からぬいぐるみ（２）内部に脱着出来るようにした事を特徴とする携帯ストラップ（１）。
【考案の詳細な説明】
【技術分野】
【０００１】  本考案は、携帯ストラップに関し、指先を温め、幾度も繰り返して使用可能な省エネのカイロ機能を有し、見栄えの良い携帯ストラップに関する。
【背景技術】
【０００２】  従来、カイロとしての機能つまり発熱素材として、酢酸ナトリウム・三水和物の過飽和溶液とこの過飽和状態を壊すために折り曲げ可能な金属片等を密封しておき、この金属片を折り曲げた刺激により、過飽和状態が壊れ、該酢酸ナトリウムの結晶が析出し始めた際に放出される熱エネルギーを利用したものが知られている。
これはカイロとして充分な５５℃付近上まで温度が上昇し、この温度を超えず一定に保つ働きによるものである。
なお、この結晶の析出が完全に終わると冷めて固体となるのであるが、可逆的な性質つまり、熱湯等で湯煎して温める事により、結晶が溶け、元の酢酸ナトリウム・三水和物の過飽和な液体の状態に戻り再利用可能となるものである。
一方、酢酸ナトリウム・三水和物の過飽和溶液とこの過飽和状態を壊すために物理的ショックを与えるための金属片を密封パックした状態のままのカイロが知られている。このカイロは、酢酸ナトリウム・三水和物の過飽和溶液をカラフルに着色したり、更には密封パックの外観形状を例えば見栄えが良いようにハート型にしたもの等が知られている。
【考案の開示】
【考案が解決しようとする課題】
【０００３】  しかしながら、従来のカイロは手のひら程度に収まる大きさのものがほとんどであり、その大きさから使用する部位も腰、肩、腹等に用いられる事がほとんどで、指先だけをコンパクトに温めるものが無かった。
又、密封パックのままで用いる事が多く見栄えが悪くなり、せいぜい低温やけどを防ぐために布を巻きつける程度で、携帯ストラップとしてのぬいぐるみの中に完全に脱着、収納出来るものは無かった。
【課題を解決するための手段】
【０００４】  上記課題を解決するために本考案は、酢酸ナトリウム・三水和物の過飽和溶液（４）とこの過飽和状態を壊すために金属片（５）が密封された可逆性発熱部材（３）が、予め設けられたぬいぐるみ（２）側面の出し入れ口（６）からぬいぐるみ（２）内部に脱着出来るようにしておく。
本考案は以上のような構成からなる携帯ストラップ（１）である。
【考案の効果】
【０００５】  本考案の携帯ストラップは以上のような構成であるため、カイロとしての機能を果たしつつ、ぬいぐるみを食品や食材、更には動物にしたりと様々な形態に適用出来るため、例えば焼き芋の形のぬいぐるみとすれば、その発熱効果により出来たての感じが演出出来、又例えば猫の形にすれば体温のように温かいため、生きている感じを演出出来るものとなる。
なお、携帯ストラップとして形成されるため、大きさも指先をコンパクトに温める形となり、ぬいぐるみの可愛らしさと相まって携帯電話を使用する際に、発熱させて使用すれば、指先と同時にこの演出効果により精神的にも癒されるという副次的効果も期待出来る。
もちろん可逆性発熱部材は、湯煎をして幾度繰り返し使用出来るため、省エネでエコロジーなものとなる。
【考案を実施するための最良の形態】
【０００６】  本考案における携帯ストラップの大きさ、デザイン、厚み、材質、製造方法等は特に限定される事はない。
可逆性発熱部材の形状、材質、製造方法等も特に限定されることはないが、酢酸ナトリウム・三水和物の過飽和溶液とこの過飽和状態を壊すための金属片が、耐熱性、耐衝撃性、耐摩耗性等に優れた例えばポリエチレン等の樹脂製のパックで密封されているのが好ましい。
又、この可逆性発熱部材を脱着して収納出来るぬいぐるみの大きさ、デザイン、素材、製造方法等も特に限定されることは無いが、ぬいぐるみ側面に予め可逆性発熱部材を脱着するための、出し入れ口を設けているため、可逆性発熱部材の内部に封入された金属片を折り曲げた物理的刺激により、発熱が始まれば、すみやかにぬいぐるみの内部に挿入する事が出来るものである。
もちろん冷えてしまい再利用する場合もこの出し入れ口から可逆性部材を簡単に取り出して、湯煎に供せられる。
なお、ぬいぐるみ端面に携帯電話用係止部材（７）を設けておく事が好ましい。
【実施例】
【０００７】  以下、本考案の一実施例を、図１及び図２で説明するがこれによって本考案はなんら限定されるものではない。【０００８】  図１は本考案の一例を示す斜視図である。
ぬいぐるみ（２）は、鯛焼きの形に作られており、先端の端面には携帯電話用係止部材（７）が設けられている。
一方、酢酸ナトリウム・三水和物の過飽和溶液（４）とこの過飽和状態を壊すためにコイン形状の金属片（５）がポリエチレン製のパックで密封された状態で可逆性発熱部材（３）としてある。これがカイロ本体となるのである。【０００９】  図２は、本考案の可逆性発熱部材（３）が、ぬいぐるみ（２）内部に脱着出来るように予め設けられたぬいぐるみ（２）側面の出し入れ口（６）を示す斜視図である。
【産業上の利用の可能性】
【００１０】  密封された可逆性発熱部材によって、一定の時間、約５５℃の温度を保つカイロとしての機能を果たしつつ、様々な形態に適用されるぬいぐるみにより、例えば食材や食品であれば、出来立ての感じが、又猫のような動物の形すれば体温を感じさせるように生きている感じが演出出来る優れたものとなる。
又、携帯ストラップとして形成されるため、指先をコンパクトに温め、ぬいぐるみの可愛らしさと相まって、携帯電話使用時に指先と同時に精神的にも癒される副次的効果も期待出来る。
【図面の簡単な説明】
【００１１】
【図１】  本考案の一例を示す斜視図である。
【図２】  本考案の一例を示す斜視図である。
【符号の説明】
１  携帯ストラップ  ２  ぬいぐるみ  ３  可逆性発熱部材  ４  酢酸ナトリウム・三水和物の過飽和溶液  ５  金属片  ６  出し入れ口  ７  携帯電話用係止部材
【図１】
0003147326.tif 000003
【図２】
0003147326.tif 000004
(57)【要約】【課題】封筒とグリーティングカードのデザインに連動性を持たすことができるように、封筒内側にグリーティングカード装着させたグリーティングカードつき封筒を提供する。【解決手段】内側にグリーティングカード（１）を装着したトップ面（２）と、左右のサイド面（３）と、封をするための差し込み片（４）を設けたフラップ面（５）と、前記差し込み片（４）を入れる差し込み口（６）を設けたボトム面（７）からなり、折りたたむことで封筒となる封筒台紙にグリーティングカードが取り付けられた構造で、封筒とグリーティングカードを一体としたことを特徴とする。【選択図】図１
0003147327.tif 000002
【実用新案登録請求の範囲】
【請求項１】
内側にグリーティングカード（１）を装着したトップ面（２）と、左右のサイド面（３）と、封をするための差し込み片（４）を設けたフラップ面（５）と、前記差し込み片（４）を入れる差し込み口（６）を設けたボトム面（７）からなり、折りたたむことで封筒となる封筒台紙にグリーティングカードが取り付けられた構造で、封筒とグリーティングカードを一体としたことを特徴とするグリーティングカードつき封筒。
【考案の詳細な説明】
【考案の詳細な説明】
【技術分野】
【０００１】  この考案は、封筒とグリーティングカードのデザインに連動性を持たせるため、折りたたむことで封筒となる封筒台紙にグリーティングカードが取り付けられた構造で、封筒とグリーティングカードを一体としたことを特徴とするグリーティングカードつき封筒に関するものである。
【背景技術】
【０００２】  従来、グリーティングカードと封筒は、必ず一緒に使用されるものであるにも関わらず、別々になっていた。
【考案が解決しようとする課題】
【０００３】  それは次のような問題点があった。
グリーティングカードのデザインは単体で、封筒は入れるためのものでしかなく、デザインの揃ったもの、連動したもの、一つになったものはなかった。
本考案は、以上の問題点を解決するために考案されたものである。
【課題を解決するための手段】
【０００４】  内側にグリーティングカード（１）を装着したトップ面（２）と、左右のサイド面（３）と、封をするための差し込み片（４）を設けたフラップ面（５）と、前記差し込み片（４）を入れる差し込み口（６）を設けたボトム面（７）からなり、折りたたむことで封筒となる封筒台紙にグリーティングカードが取り付けられた構造で、封筒とグリーティングカードを一体としたことで前記課題を解決する。
【考案を実施するための最良の形態】
【０００５】  以下、本考案の実施の形態について説明する。
図１で示すように、グリーティングカードつき封筒は、内側にグリーティングカード（１）を装着したトップ面（２）と、左右のサイド面（３）と、封をするための差し込み片（４）を設けたフラップ面（５）と、前記差し込み片（４）を入れる差し込み口（６）を設けたボトム面（７）からなる。
本考案は以上のような構造で、封筒が展開された状態での販売となる。
これを使用するときには、グリーティングカード（１）を開き、メッセージを書き込んでから折りたたみ、左右のサイド面（３）を折りたたみ、ボトム面（７）を折りたたみ、フラップ面（５）を折りたたんで、前記フラップ面（５）に設けられた差し込み片（４）を、前記ボトム面（７）に設けられた差し込み口（６）に差し込むことで封をする。
開封時には、フラップ面（５）に設けられた差し込み片（４）を、ボトム面（７）に設けられた差し込み口（６）から抜き、封筒自体を展開し、グリーティングカードを開いてメッセージを読む。
【考案の効果】
【０００６】  グリーティングカードと封筒のが一体となっているので、揃いのデザイン、連動したデザインが可能となる。
また一体になったことで、展開した状態自体が一つのデザインであり、従来にない新しいデザインも可能となり、デザインの幅が広がる。
例として図２で示すように、グリーティングカードの模様の一部を封筒の内側に入れるといったようなことである。
【図面の簡単な説明】
【図１】  本考案の斜視図
【図２】  本考案のグリーティングカードの模様の一部を封筒内側に連動させたデザイン例の斜視図
【符号の説明】
１  グリーティングカード
２  トップ面
３  サイド面
４  差し込み片
５  フラップ面
６  差し込み口
７  ボトム面
【図１】
0003147327.tif 000003
【図２】
0003147327.tif 000004
(57)【要約】      （修正有）【課題】前二輪後一輪の揺動式三輪自転車に於いて、揺動時と正立時との左右操作特性の差を解消する事を目的とする。【解決手段】前部フレーム１に対して揺動する後部フレーム２の揺動軸の中心線上に、ステアリングシャフト４とナックル５とをつなぐタイロッド６のステアリングシャフト側ボールジョイント７の中心を合わせて設置し、ナックル側ボールジョイント８の中心を揺動軸の中心線と同一の高さになる様設置する。この様に設置する事により、揺動時に発生するタイロッドの左右運動を解消し、正立時と同様の操作特性を得られる。【選択図】図６
0003147325.tif 000002
【実用新案登録請求の範囲】
【請求項１】
揺動軸の中心線上に、ステアリングシャフトとナックルとをつなぐタイロッドの、ステアリングシャフト側ボールジョイントの中心を合わせて設置し、ナックル側ボールジョイントの中心を揺動軸の中心線と同一の高さになる様設置した、前二輪後一輪の揺動式三輪自転車。
【請求項２】
揺動する速度を油圧式ダンパーで制御した、請求項１で記載の揺動式三輪自転車。
【考案の詳細な説明】
【技術分野】
【０００１】  本考案は、前二輪後一輪の揺動式三輪自転車に於いて、揺動時と正立時との左右操行特性の差を、解消する事を目的とする。
【背景技術】
【０００２】  従来揺動式三輪車は、前一輪後二輪式で操行は前一輪で行われ、左右操行特性には差は無かった。
【考案の開示】
【考案が解決しようとする課題】
【０００３】  しかしながら、前二輪後一輪式の三輪自転車で、後一輪が取り付けられた後部フレームを揺動させる構造とした場合、ハンドル操作をロッドで前二輪に伝えると、揺動時にロッドが不要な左右運動を発生し、正立時の左右操行特性との間に著しい差が生まれてしまう。
【課題を解決するための手段】
【０００４】  上記課題を解決する為には、前二輪が取り付けられた前部フレーム１に対して揺動する後部フレーム２の揺動軸３の中心線上に、ステアリングシャフト４とナックル５とをつなぐタイロッド６のステアリングシャフト側ボールジョイント７の中心を合わせて設置し、ナックル側ボールジョイント８の中心を揺動軸の中心線と同一の高さになる様設置する。この様に、揺動軸とステアリングシャフト側ボールジョイントとナックル側ボールジョイントを設置することにより、後部フレームを揺動させても揺動軸に対してのステアリング側ボールジョイントの位置は変わらず、ナックル側ボールジョイントとの距離が変わらない為、揺動によるタイロッドの左右運動が起こらなくなり、揺動時も正立時と同様の操作特性を得られる。
【考案の効果】
【０００５】  よって、本考案のステアリングシステムを使用する事により、運転者は後部フレームを揺動させながらスムーズなハンドル操作が可能となり安全運転に役立つ。
【考案を実施するための最良の形態】
【０００６】  本考案に係る三輪自転車は、子供を安全に乗せる為の自転車を目的に開発され、子供を乗せる子供用シート９は、常に大地に接している前二輪が取り付けられた前部フレーム上にある為常に安定し、尚且つ運転者は通常の自転車同様、揺動させながら軽快な操行運転が可能となる。更に、揺動する速度を油圧式ダンパー１０で制御する事により、旋回時の過度の倒れこみや路面の凹凸による姿勢変化を抑制し、安定した揺動が得られる。
【図面の簡単な説明】
【０００７】
【図１】  本考案に係る三輪自転車の全体側図面である。
【図２】  本考案に係る三輪自転車の全体平面図である。
【図３】  本考案に係る三輪自転車の全体前面図である。
【図４】  本考案に係る三輪自転車の左側転向時の揺動状態を示す全体前面図である。
【図５】  本考案に係る三輪自転車の部分後面図である。
【図６】  本考案に係る三輪自転車の右側転向時の揺動状態を示す部分後面図である。
【図７】  本考案に係る三輪自転車の揺動軸の中心線を示す前部下面からの部分平面図である。
【符号の説明】
【０００８】    １  前部フレーム
２  後部フレーム
３  揺動軸
４  ステアリングシャフト
５  ナックル
６  タイロッド
７  ステアリング側ボールジョイント
８  ナックル側ボールジョイント
９  子供用シート
１０  油圧式ダンパー
【図１】
0003147325.tif 000003
【図２】
0003147325.tif 000004
【図３】
0003147325.tif 000005
【図４】
0003147325.tif 000006
【図５】
0003147325.tif 000007
【図６】
0003147325.tif 000008
【図７】
0003147325.tif 000009
(57)【要約】      （修正有）【課題】パレットに積載された荷物の防塵及び荷崩れ防止を目的とした、筒状の樹脂フィルムに厚紙等適宜素材の骨を貼りつけたパレットカバーを提供する。【解決手段】１は樹脂フィルムの筒状パレットカバー本体、２は厚紙等適宜素材の骨、３はパレット積載の荷物で、このパレット積載の荷物３に樹脂フィルムの筒状パレットカバー１を被せ、当該パレットカバーのフィルム１を手前に引っ張りながら弛みを厚紙等適宜素材の骨２で巻き取り、パレット積載の荷物３を束ねて荷崩れを防止、かつパレットカバー１を四方から折り曲げて、パレット積載の荷物３の上面を覆い被せることにより防塵の役目を果たすことができる。【選択図】図３
0003147324.tif 000002
【実用新案登録請求の範囲】
【請求項１】
パレットに積載した荷物に被せる筒状の樹脂フィルムに、厚紙等適宜素材を貼り付けて骨とし、当該骨で樹脂フィルムの弛みを巻き取って荷物を束ね、かつ当該樹脂フィルムを折り込んで荷物の上面を覆い被せるようにした、防塵及び荷崩れ防止パレットカバー。
【考案の詳細な説明】
【技術分野】
【０００１】  本考案は、パレットに積載された荷物の防塵及び荷崩れ防止を目的とした、筒状の樹脂フィルムに厚紙等適宜素材の骨を貼りつけたパレットカバーに関するものである。
【背景技術】
【０００２】  従来、パレットカバーは袋状に加工されたもので、パレットに積載された荷物に被せて使用されていたが、カバーの弛みで、運送移動の際、カバーの中で荷物が踊って荷崩れを起こしていた。
【考案の開示】
【考案が解決しようとする課題】
【０００３】  本考案は、パレットカバーを筒状にし、パレット積載の荷物に被せた後パレットカバーを手前に引っ張りながら弛みを巻き取り、かつ当該荷物の上面を覆い、防塵及び荷崩れ防止を課題にして上述の欠点を解決しようとするものである。
【課題を解決するための手段】
【０００４】  本考案は、筒状の樹脂フィルムに厚紙等適宜素材の骨を貼りつけ、当該骨で樹脂フィルムを手前に引っ張りながら弛みを巻き取って荷物を束ねる。【０００５】  しかる後、樹脂フィルムを四方から折り込んで、荷物の上面を覆い被せる。
【考案の効果】
【０００６】  上述のように、本考案のパレットカバーは荷物を束ね、かつ荷物の上面を覆うことができるので、防塵と荷崩れ防止の両方の効果が得られる。
【考案を実施するための最良の形態】
【０００７】  樹脂フィルムは伸縮性があり、荷物を束ねるのに適した素材であるので、その特徴を利用して筒状に加工し、厚紙等適宜素材の骨を貼りつけることによって当該骨で樹脂フィルムの弛みを巻き取り、荷崩れを防止する。【０００８】  また、厚紙等適宜素材の骨を貼りつけることで、樹脂フィルムに腰を持たせ、作業時の取り扱いをし易くすることにも役立つ。【０００９】  なお、荷物の形状に合わせて樹脂フィルムが荷物全体を覆うので、筒状パレットカバーは荷物の大小に関係なく、ワンサイズで適応できる利点もある。
【実施例】
【００１０】  以下、添付図面に従って実施例を説明する。１は樹脂フィルムの筒状パレットカバー本体、２は厚紙等適宜素材の骨、３はパレット積載の荷物で、このパレット積載の荷物３に樹脂フィルムの筒状パレットカバー１を被せ、当該パレットカバーのフィルム１を手前に引っ張りながら弛みを厚紙等適宜素材の骨２で巻き取り、パレット積載の荷物３を束ねて荷崩れを防止、かつ当該パレットカバー１を四方から折り曲げて、パレット積載の荷物３の上面を覆い被せることにより防塵の役目を果たすことができる。
【図面の簡単な説明】
【００１１】
【図１】本考案の、樹脂フィルムの筒状パレットカバーの本体。
【図２】本考案の、樹脂フィルムの筒状パレットカバーの実施例の斜視図。
【図３】本考案の、使用完成図。
【符号の説明】
【００１２】１  樹脂フィルムの筒状パレットカバーの本体
２  厚紙等適宜素材の骨
３  パレット積載の荷物
【図１】
0003147324.tif 000003
【図２】
0003147324.tif 000004
【図３】
0003147324.tif 000005
(57)【要約】      （修正有）【課題】品物を保存するとき、簡単に素早く経済的に、市販の袋が使用できる空気抜きパック機を提供する。【解決手段】スポンジ１は、上下取替え可能で厚さを変えることが出来る。ポリ袋に入った品物をハンドル５でノートパソコンを閉じるときのように押さえ、挟むことにより、袋の下部の方より徐々に上部の方に空気を抜き圧着ゴム３とヒーター４が密着した時点で、シーラー本機２の上部スイッチ８を押えることにより通電し、熱圧着する。【選択図】図２
0003147301.tif 000002
【実用新案登録請求の範囲】
【請求項１】
スポンジ（図面１）は上下取替え可能で厚さを変えることが出来る、ポリ袋に入った品物をハンドル（図面５）でノートパソコンを閉じるときのように押さえ、挟むことにより、袋の下部の方より徐々に上部の方に空気を抜き圧着ゴム（図面３）とヒーター（図面４）が密着した時点で、シーラー本機（図面２）の上部スイッチ（図面８）を押えることにより通電し、熱圧着できる開閉式空気抜きパック機である。
【考案の詳細な説明】
【技術分野】
【０００１】  この発明は、袋を選ばず手軽に家庭で品物の余分な空気を抜き取りパックするものである。
【背景技術】
【０００２】  従来、真空パック機は指定の袋で、袋の中の空気を吸って圧着していた。
【考案の開示】
【考案が解決しようとする課題】
【０００３】  従来の真空パック機は指定の袋を別途購入しないといけなかった。また、空気を抜き取るのに時間がかかっていた。
この発明は、以上のような欠点をなくすためになされたものである。
【課題を解決するための手段】
【０００４】  上下スポンジ（１）で品物の入った市販の袋を押さえ、シーラー（２）により熱圧着するものである。
本発明は、以上の構成によりすばやく空気を抜き取る開閉式圧着空気抜きパック機である。
【考案の効果】
【０００５】  スポンジで押さえるので品物の形状がどのようなものでもかまわない。
シーラーの温度設定を変えられることにより、袋の種類を選ばない。（市販の袋が使用できる。）
押さえて空気を抜くため時間がかからない。
【考案を実施するための最良の形態】
【０００６】  以下、本発明を実施するための最良の形態について説明する。
開閉式で口のしまるところにシーラーを設置する。
上下はスポンジで品物の形状により交換できるようにする。
【図面の簡単な説明】
【０００７】
【図１】  本発明の側面図である。
【図２】  本発明の全体図である。
【符号の説明】
【０００８】  １  スポンジ
２  シーラー
３  圧着ゴム
４  ヒーター
５  ハンドル
６  パイロットランプ
７  調整つまみ
８  スイッチ
９  スプリング（蝶番）
【図１】
0003147301.tif 000003
【図２】
0003147301.tif 000004
(57)【要約】      （修正有）【課題】喫煙時に喫煙パイプの火皿の底に水分がたまり易いパイプ煙草を、最後まで燃やせる喫煙パイプ用の燃焼補助具を提供する。【解決手段】喫煙パイプ２の火皿の底に陶器用粘土を素焼きしたボール１である喫煙パイプ用燃焼補助具を入れる。陶器用粘土は、８００℃位で素焼すると高温でも変形せず水分を吸収し易くなるので、喫煙時に煙草４から出る水分を一部吸収すると共に、ボールを入れる事により火皿底部に適度な隙間が出来、煙草が最後まで燃えやすくなる。【選択図】図３
0003147304.tif 000002
【実用新案登録請求の範囲】
【請求項１】
喫煙パイプを使用する時に火皿の底部に入れて使用する陶器用粘土を素焼きしたボールである喫煙パイプ用燃焼補助具。
【考案の詳細な説明】
【技術分野】
【０００１】  本考案は、喫煙パイプの火皿部に挿入する燃焼補助具に関するものである。
【背景技術】
【０００２】  陶器用粘土は８００℃位の温度で素焼きすると硬くなり高い温度にも変形せず水分を吸収しやすくなる。
【考案の開示】
【考案が解決しようとする課題】
【０００３】  喫煙パイプ用煙草は、一般の紙巻煙草にくらべ、水分が多いため喫煙時に喫煙パイプの火皿の底に水分がたまり煙草を最後まで燃やす事が難しい。
【課題を解決するための手段】
【０００４】  本考案は、喫煙パイプの火皿の底部に陶器用粘土を素焼きしたボールである喫煙パイプ用燃焼補助具を入れ、その上に煙草をつめて喫煙する事により、上記課題を解決するものである。
【考案の効果】
【０００５】  本考案は、喫煙パイプの火皿の底に陶器用粘土を素焼きしたボールである喫煙パイプ用燃焼補助具を入れる事により、喫煙時に煙草から出る水分を一部吸収すると共に、ボールを入れる事により火皿底部に適度な隙間が出来るため、煙草を最後まで燃えやすくするものである。
【考案を実施するための最良の形態】
【０００６】  図１に示す陶器用粘土を丸くし素焼きしたボールである喫煙パイプ用燃焼補助具を図２に示すように喫煙パイプ火皿の底部に挿入する。そして、図３に示すように、その上にパイプ用煙草をつめる。【０００７】  上記工程により、煙草を詰め終えた喫煙パイプで喫煙すると煙草のほとんどを燃やす事ができる。
【図面の簡単な説明】
【０００８】
【図１】本考案に係る陶器用粘土の素焼きボールである喫煙パイプ用燃焼補助具である。
【図２】本考案に係る陶器用粘土の素焼きボールである喫煙パイプ用燃焼補助具を喫煙パイプの底部に入れた断面図である。
【図３】本考案に係る陶器用粘土の素焼きボールである喫煙パイプ用燃焼補助具を喫煙パイプの底部に入れ、その上に煙草を詰めた断面図である。
【符号の説明】
【０００９】  １  陶器用粘土の素焼きボールである喫煙パイプ用燃焼補助具
２  喫煙パイプ本体
３  火皿（喫煙パイプの部位）
４  煙草
【図１】
0003147304.tif 000003
【図２】
0003147304.tif 000004
【図３】
0003147304.tif 000005
(57)【要約】      （修正有）【課題】冬期間の寒冷地においては、建造物の内部と外部とでは顕著な温度差があるため、外壁をはさんで屋内から屋外に向けて設置する排気筒の内部に結露水が溜まったり、また屋外からの雨水の浸入により水溜りが出来たりして、屋外に排出されないことから、外壁面の変色や凍壌を起す原因となっていたことに鑑み、結露水の発生を未然に防止する構造から成る換気口を提供する。【解決手段】中央部に通口部を有する取付板１を設け、この取付板の内側鍔部の内側面部に同形状に成るゴムパッキング材４を装着するとともに補強板６を設置し、この補強板及び前記取付板に対し各板材の開口部を被套するフード体１３を設置し、前記補強板の内側面部にスポンジ材１１を通口部を設けて装着し、このように成る各通口部に所定の筒管材１０を嵌挿して成るものである。【選択図】図２
0003147351.tif 000002
【実用新案登録請求の範囲】
【請求項１】
中央部に通口部を有する取付板を設け、この取付板の内側鍔部の内側面部に同形状に成るゴムパッキング材を装着するとともに補強板を設置し、この補強板及び前記取付板に対し各板材の開口部を被套するフード体を設置し、前記補強板の内側面部にスポンジ材を通口部を設けて装着し、このように成る各通口部に所定の筒管材を嵌挿して成ることを特徴とする建物用換気口。
【考案の詳細な説明】
【技術分野】
【０００１】
本考案は、特に寒冷地における建造物用の換気口の改良に関するものである。
【背景技術】
【０００２】
冬期間の寒冷地においては、建物の内部と外部とでは顕著な温度差があるため、外壁をはさんで屋内から屋外に向けて設置する排気筒の内部に結露水が溜まったり、また屋外からの雨水の浸入により水溜りが出来たりして、屋外に排出されないことから、外壁面の変色や凍壊を起す原因となっていた。
【０００３】
そこで、フード裏面部と壁面の排気筒付近に出来易い結露水等の発生を防止することを目的とした公知例としては、次のようなものがある。
【０００４】
【特許文献１】特開２００６−１０４８７６号公報
【特許文献２】特開２００７−４０６１０号公報
【特許文献３】特開２００４−１２０８６号公報
【考案の開示】
【考案が解決しようとする課題】
【０００５】
しかしながら、これらの公知技術では、寒冷地における建造物の換気口における結露防止を完全に行うことは困難であることに鑑み、本考案は、それらの欠点を一掃して結露水の発生を未然に防止する構造から成る換気口を提供することを目的とするものである。
【課題を解決するための手段】
【０００６】
本考案は、中央部に通口部を有する取付板を設け、この取付板の内側鍔部の内側面部に同形状に成るゴムパッキング材を装着するとともに補強板を設置し、この補強板及び前記取付板に対し各板材の開口部を被套するフード体を設置し、前記補強板の内側面部にスポンジ材を通口部を設けて装着し、このように成る各通口部に所定の筒管材を嵌挿して成るものである。
【考案の効果】
【０００７】
第１に、排気用の筒管体内部に溜まろうとする結露水は、筒管体の外周面に密着し密閉しているパッキング材によって阻止し、フード内部に流出するのを防止することができる。
【０００８】
第２に、前記パッキング材の外側部に設ける補強板の内側面部に嫌水性のスポンジ材を装着しているから、水分の吸収を阻止し、結露水の迅速な流出を促進し、フード内部への流出を防止することができる。
【考案を実施するための最良の形態】
【０００９】
建造物の外壁面に設置する換気口において、溜まろうとする結露水の流出を、壁面に構成する筒管体との勾配のある間隙を完全に遮断するとともにスポンジ材の装着によって促進するようにしている。
【実施例】
【００１０】
１は中央部に通口部３を設けた取付板で、この取付板の内側面部には同形状に成るゴムパッキング材４を装着し、このゴムパッキング材４にも通口部５を設ける。
【００１１】
６は前記取付板１の内側面部に前記ゴムパッキング材４を介装して設置する補強板で、この補強板は取付板１と同形状に成るとともに、通口部７とその外周縁鍔部８を有するこの補強板６は、後記フード体１３の周縁鍔部１４が補強板６の外周縁鍔部８に被嵌した際に止着子により固定するように成る。
【００１２】
９は前記取付板１の通口部３の内周縁部に設けた支持部で、この支持部９の内側面部には前記ゴムパッキング材４を装着し、筒管材１０が前記取付板の通口部３に嵌挿したとき、このゴムパッキング材４の通口部５の周囲部は自然曲折し、このパッキング材は前記両通口部３，７に嵌挿する筒管材１０の外周面部に密着状態に成る。
【００１３】
１１は前記補強板６の周縁鍔部８の内側面部に装着する嫌水性のスポンジ材で、このスポンジ材１１の中央部には通口部１２を設ける。
【００１４】
１３は任意形状に成るフード体で、このフード体１３の外周縁には鍔部１４を内側方向に形成する。
【００１５】
１５は前記取付板１の下端部に形成した流水板で、この流水板の外側端部にはルーバー１６を蝶着し、前記フード体１３の底面部に開閉し得るようにする。
【００１６】
１７，１７は前記流水板１５の基部に設けた水抜き孔である。
【図面の簡単な説明】
【００１７】
【図１】全体部材の分離状態を示す斜視図
【図２】関係部材を内方向から見た組立て前の斜視図
【図３】関係部材を外方向から見た組立て前の斜視図
【図４】組立後の全体の側断面図
【符号の説明】
【００１８】
１                    取付板
３                    通口部
４                    ゴムパッキング材
５                    通口部
６                    補強板
７                    通口部
８                    鍔部
９                    支持部
１０                  筒管材
１１                  スポンジ材
１２                  通口部
１３                  フード体
１４                  鍔部
１５                  流水板
１６                  ルーバー
１７，１７            水抜き孔
【図１】
0003147351.tif 000003
【図２】
0003147351.tif 000004
【図３】
0003147351.tif 000005
【図４】
0003147351.tif 000006
(57)【要約】      （修正有）【課題】硬い網枠で魚をつぶすことなく掬うことができ、網部の交換が可能な玉網を提供する。【解決手段】主に網枠１、軟質管状網枠２、網３及び握り柄４を含み、そのうち、軟質管状網枠２は開口部５を有する管状を呈し、軟質管状網枠２に網３が装着されて網部６を形成し、網枠１が軟質管状網枠２の開口部５より挿入され、軟質管状網枠２内において、網部前面部に網枠1がかからないように屈曲、湾曲させることにより玉網の構造を成し、屈曲させた部分を伸展させることにより網部を交換できる玉網が形成される。【選択図】図２
0003147356.tif 000002
【実用新案登録請求の範囲】
【請求項１】
網枠、軟質管状網枠、網及び握り柄を含み、そのうち、軟質管状網枠と網を接着することにより装着、もしくは線材を軟質管状網枠に巻きつけることなどにより網に装着させ、軟質管状網枠内部に網枠が挿入され、さらに網部の前面部全部もしくは一部に網枠がかからないような位置で網枠を湾曲、屈曲させることにより玉網を形成し、網部の前面部分に硬い網枠がないことを特徴とする玉網。
【考案の詳細な説明】
【技術分野】
【０００１】
本考案は、玉網の前面部の硬い網枠をなくすことにより、網枠に網部を簡単に装着でき、網部の交換が可能でコスト節約効果があり、硬い網枠で魚をつぶすことなく掬うことができるようにした便利な観賞魚用の玉網の提供に関する。
【背景技術】
【０００２】
非特許文献１のように、従来の玉網は、使用者が握り柄を握って魚を掬うときに使用するものであるが、主に握り柄と網枠、網部からなり、網の上部を網枠上にかけて覆い縫い付けたり、網枠に線材を巻きつけて網と網枠を装着したりしており、従来の玉網の網枠は網を装着する作業や網を交換することが困難であった。
【０００３】
小さな魚を掬うときに網枠と水槽などの容器の壁との間に魚を挟んで潰してしまい、怪我をさせたり、死なせたりすることがある。
【０００４】
網部が破損すると網部をなかなか交換できず、握り柄や網枠も捨ててしまわなければならず非常に不経済であった。
【０００５】
【非特許文献１】登録実用新案第３１０８４７６号
【考案の開示】
【考案が解決しようとする課題】
【０００６】
本考案は、網枠に網部を簡単に装着でき、網枠で魚を潰すことなく掬うことができ、網部の簡単な交換が可能で、コスト節約効果がある便利な観賞魚用の玉網を提供するものである。
【課題を解決するための手段】
【０００７】
上述の目的を達するため、本考案の玉網の構造は、主に網枠、軟質管状網枠、網及び握り柄からなり、そのうち、軟質管状網枠は開口部を有する管状で、軟質管状網枠に網が装着されて網部を形成することを特徴とする。
【０００８】
網枠が軟質管状網枠の開口部より挿入され、軟質管状網枠内において、網部前面部に網枠がかからないように湾曲、屈曲させることにより玉網の構造を成し、屈曲させた部分を伸展させることにより網部を交換できる玉網が形成される。
【考案の効果】
【０００９】
網枠に網部を簡単に装着でき、魚を掬うときに、網枠で魚を潰して怪我させることなく掬うことができ、網部の簡単な交換が可能で、コスト節約効果のある便利な観賞魚用の玉網が提供することができる。
【考案を実施するための最良の形態】
【００１０】
本考案の構造及びその特徴について、以下、最良の実施例と図面に基づき詳細に説明する。
【００１１】
図１、図２、図３に示すように、本考案の玉網は、網枠１、軟質管状網枠２、網３及び握り柄４を含み、そのうち、軟質管状網枠２は開口部５を有する管状を呈し、軟質管状網枠２に網３が装着されて網部を形成する。
【００１２】
図４に示すように、網枠１が軟質管状網枠２の開口部５より挿入され、軟質管状網枠２内において、図５に示すように網部前面部６に網枠1がかからないように湾曲、屈曲させることにより玉網の構造を成し、屈曲させた部分を伸展させることにより網部を交換できることを特徴とする。
【００１３】
網３と軟質管状網枠２の装着は、両者を熱や接着剤により接着、または網の上部を軟質管状網枠２上にかけて覆い縫い付けることにより装着、または線材を巻きつけて網を軟質管状網枠２に装着する方法などがあるが、装着方法についてはいかなるものでもよい。
【００１４】
網枠１は、鉄、銅などの金属のほか塑性のある硬い材質であればいかなるものでもよい。軟質管状網枠２は、軟質のプラスチックなど魚などを傷つけない材質で形成されるものであればいかなるものでもよい。網３の材質、網目の大きさ等についてもいかなるものでもよい。
【００１５】
上述のように、網枠１、軟質管状網枠２、網３及び握り柄４からなり、そのうち、軟質管状網枠２は開口部５を有する管状で、軟質管状網枠２に網３が装着されて網部を形成し、網枠１が軟質管状網枠２の開口部５より挿入され、軟質管状網枠２内において、網部前面部６に網枠１がかからないように湾曲、屈曲させることにより玉網の構造を成し、屈曲させた部分を伸展させることにより、網部を簡単に交換できる玉網が形成される。
【００１６】
本考案の玉網の構造は、魚などを掬うときに、魚を網枠と容器の壁などに挟ませて傷つけることがなく、網部の装着、交換の利便性とコスト節約効果を確実に達成でき、実用性と進歩性を兼ね備えている。
【図面の簡単な説明】
【００１７】
【図１】本考案の玉網の斜視図である。
【図２】本考案の網部の拡大斜視図である。
【図３】本考案の軟質管状枠の開口部へ網枠を挿入しようとする説明図である。
【図４】本考案の網枠挿入状況の説明図である。
【図５】本考案の平面を示す説明図である。
【符号の説明】
【００１８】
１ 網枠
２ 軟質管状網枠
３ 網
４ 握り柄
５ 開口部
６ 網前面部
【図１】
0003147356.tif 000003
【図２】
0003147356.tif 000004
【図３】
0003147356.tif 000005
【図４】
0003147356.tif 000006
【図５】
0003147356.tif 000007
(57)【要約】      （修正有）【課題】監視カメラシステム工事における配線工事等の大幅な簡略化を図るため、各機器を一体化したシステムを提供する。【解決手段】本体１は金属製のケースで、カメラ・録画機・モニタを収納する。モニタ２は、該本体１内のカメラが監視している映像を表示し、人感センサ５が人の接近を検知したときのみ映像を表示させる様にすることができる。また録画機４は、カメラ映像を記録し、過去の映像を再生するために用いる。監視カメラ３は、目標の方向に向きを調整することができる。電源部７に通常のコンセントからの電源を差し込むことで、システムが移動する様に構成する。【選択図】図１
0003147343.tif 000002
【実用新案登録請求の範囲】
【請求項１】
金属製ケースにカメラ、録画機、モニタ、人感センサを収納し、本体のみで監視カメラシステム稼動させることができる一体型監視カメラシステム。
【考案の詳細な説明】
【技術分野】
【０００１】
本考案は、建物等における工事等の簡略化を図った監視カメラシステムに関するものである。
【背景技術】
【０００２】
通常、監視カメラシステムは監視カメラ、録画機、モニタによって構成され、それぞれが専用配線でつながれている。
【考案の開示】
【考案が解決しようとする課題】
【０００３】
監視カメラシステム工事において大きなウェイトを締める配線工事の簡略化を図るため、監視カメラ、録画機、モニタそれぞれの機能を一体化し、工事の大幅な削減を目指す。
【課題を解決するための手段】
【０００４】
本監視カメラシステムの構成はモニタ、録画機、カメラ、人感センサである。
金属製の堅牢なケースにモニタ、録画機、カメラ人感センサを収納し、それぞれの機能の一体化により、カメラと録画機及びモニタをつなぐ配線を簡略化し比較的簡単な取り付け工事のみで監視カメラシステムを稼動させることができる。
【考案の効果】
【０００５】
ケースの表面にはポリカーボネート製の板を使用しカメラが監視している内容を見せることができる。この特長により住民や部外者に監視カメラの存在を認識させ、犯罪やいたずらの抑制につながる。人感センサを搭載するメリットとして、人が近づいた時のみ自動でモニタが表示される為、節電効果及び監視モニタの存在をより強く認識させることができる。また、金属製のケースに収納することにより建物やエレベータなどに取り付けた監視カメラの意図的な破壊、いたずらなどを防ぐことができることも大きなメリットとなる。
【考案を実施するための最良の形態】
【０００６】
本カメラシステムを壁面に固定し、電源を投入。監視したい方向へカメラの向きを調節する。なお、取り付ける位置に関しては低い位置でも本体ケースによって破壊やいたずらなどから保護される。
【実施例】
【０００７】
添付図面に従って実施例を説明する。１は金属製のケースでカメラ、録画機、モニタを収納し本体となる。２は内部のカメラが監視している映像を表示させるモニタである。
３は監視カメラで目標の方向へ向きを調整することができる。４は録画機でありカメラ映像を記録し、また過去の映像を再生させることもできる。５は人感センサで人が近づいたときのみモニタを表示させるために内蔵している。６はポリカーボネート製の保護カバーで耐衝撃性もあり、モニタ等内部機器を保護する。７は電源部で通常のコンセントに挿し込むことで本監視カメラシステムが稼動する。
【図面の簡単な説明】
【０００８】
【図１】本考案の監視カメラシステムの全体図である。
【図２】本考案の下面図である。
【符号の説明】
【０００９】
１  本体ケース
２  表示部
３  撮影部
４  記録部
５  センサ部
６  保護カバー
７  電源コンセント
【図１】
0003147343.tif 000003
【図２】
0003147343.tif 000004
(57)【要約】      （修正有）【課題】鯉のぼり等掲揚物を、掲揚及び降下させての取り外し作業を、迅速に簡単・容易に行える方法として、フック付掲揚専用のロープを別途用意し、これを着脱させる事により可能にした掲揚鯉のぼりを提供する。【解決手段】別途フック付掲揚ロープＢを用意し、それにあらかじめ鯉のぼり等掲揚物を取り付けておきます、このロープＢのフックａを、引き上げ用ロープＡの端部ｃに引っ掛けて掲揚します。また逆の場合は、引き下げてフックａを外します。このように行うことにより、鯉のぼり等掲揚物の掲揚・引き降ろし作業が迅速・簡単・容易にできます。【選択図】図２
0003147092.tif 000002
【実用新案登録請求の範囲】
【請求項１】
鯉のぼりを掲揚及び降下させての取り外し時において、別途フック付掲揚専用のロープを着脱する事により、鯉のぼりの掲揚・取り外しの作業を、迅速・簡単・容易にする事。
更に、各種のぼり類・吹流し・旗等にも利用出来ます。
【考案の詳細な説明】
【技術分野】
【０００１】  本考案は、鯉のぼり等掲揚物の上げ下げの作業において、掲揚物が装着可能なフック付掲揚専用ロープを設けた、掲揚鯉のぼりに関するものである。
【背景技術】
【０００２】  従来は、鯉のぼり等掲揚物の上げ下げは、その時々において掲揚物を、その場で一個ずつ時間を費やして、ロープに装着または取り外していた。
【考案の開示】
【考案が解決しようとする課題】
【０００３】  鯉のぼり等掲揚物の上げ下げ作業とその収納作業において、掲揚物の大きさ及び数に比例してその作業が時間的・労働的にも負担がありました、その欠点を解決しようとするものです。
【課題を解決するための手段】
【０００４】  請求項１に記載された内容です。
【考案の効果】
【０００５】  鯉のぼり等掲揚物のロープへの装着・取り外しは、必ずしも掲揚場所でなくてもよく、作業のしやすい所で行われてもよい、また、事前に別途フック付掲揚専用ロープに掲揚物を装着して、そのフックａを上げ下げ用基本ロープのｃに取り付けての掲揚作業・取り外しての収納作業は労力の負担も少なく、時間的にも効果的です。
【図面の簡単な説明】
【０００６】
【図１】  掲揚前の掲揚設備全体正面図
【図２】  別途フック付掲揚専用ロープに、事前に鯉のぼり等を装着した実施図
【図３】  鯉のぼり等を掲揚した掲揚設備全体正面図
【図４】  上げ下げ用基本ロープと別途フック付掲揚専用ロープの形態図
【符号の説明】
【０００７】  １  ポール（支柱）            Ａ  上げ下げ用基本ロープ
２  ロープ止め                Ｂ  別途フック付掲揚専用ロープ
３  滑車                      ａ  フック          ｂ  フック
ｃ  フック受け      ｄ  フック受け
【図１】
0003147092.tif 000003
【図２】
0003147092.tif 000004
【図３】
0003147092.tif 000005
【図４】
0003147092.tif 000006
【手続補正書】
【提出日】平成20年8月5日(2008.8.5)
【手続補正１】
【補正対象書類名】実用新案登録請求の範囲
【補正対象項目名】全文
【補正方法】変更
【補正の内容】
【実用新案登録請求の範囲】
【請求項１】
両端にちちわ型フック受けを有する基本ロープと両端にＪ型または釣り針型フックを有するフック付掲揚専用ロープ等を有し、このフック付掲揚専用ロープを着脱する事により、鯉のぼりの掲揚・取り外しの作業を、迅速・簡単・容易にする事ができる掲揚鯉のぼり。
(57)【要約】      （修正有）【課題】屋外での作業やスポーツ時に、息苦しさを感じさせることなく顔面を覆い、紫外線から顔面を守ることのできるＵＶカットフェイスマスクを提供する。【解決手段】顔面を紫外線から守りながらも息苦しくさせない様に、紫外線防止効果があり、かつ、通気性の高いメッシュ生地をジャバラ状に折りたたみ１，２、その上部中央部分に切り込み４をいれ、また中心部に三角形のタック３を寄せて日除け用顔面マスクを構成する。【選択図】図１
0003147099.tif 000002
【実用新案登録請求の範囲】
【請求項１】
生地をジャバラ状に折りたたみ、その上部中央部分に切り込みをいれ、また中心部に三角形のタックを寄せることにより、一見するとごく普通のマスクの形状をしながらも、鼻からの呼吸を容易にし、スポーツ時などにも息苦しくなく着用できる日除け用顔面マスク。
【請求項２】
紫外線防止効果があり、かつ通気性の高い、メッシュ生地を使用することで、顔面を紫外線から守りながらも、息苦しくさせない日除け用顔面マスク。
【考案の詳細な説明】
【技術分野】
【０００１】  本考案は、顔面を紫外線から守るためのマスクに関する。
【背景技術】
【０００２】
【考案の開示】
【考案が解決しようとする課題】
【０００３】  屋外において、マスクやタオル、ハンカチ等で覆うことにより顔面を紫外線から守ろうとすれば、呼吸しにくくなり、ウォーキングやジョギング、テニスといったスポーツ時には特に不都合であった。
【課題を解決するための手段】
【０００４】  本考案は、紫外線防止効果の高いメッシュ生地をジャバラ状に折りたたみ、その一部に切り込みとタックを設けたマスクを作成することによって、上記課題を解決するものである。
【考案の効果】
【０００５】  本考案に係るＵＶカットフェイスマスクは、装着が容易で、呼吸を妨げることなく紫外線から顔面を守る、実用性に優れたものである。
【図面の簡単な説明】
【０００６】
【図１】本考案に係るＵＶカットフェイスマスクの展開図である
【図２】本考案に係るＵＶカットフェイスマスクの平面図である
【符号の説明】
【０００７】  １・・・山折り線
２・・・谷折り線
３・・・タック
４・・・切り込み
５・・・ゴム
【図１】
0003147099.tif 000003
【図２】
0003147099.tif 000004
【手続補正書】
【提出日】平成20年9月12日(2008.9.12)
【手続補正１】
【補正対象書類名】実用新案登録請求の範囲
【補正対象項目名】全文
【補正方法】変更
【補正の内容】
【実用新案登録請求の範囲】
【請求項１】
生地をジャバラ状に折りたたみ、その上部中央部分に切り込みをいれ、また中心部に三角形のタックを寄せた日除け用顔面マスク。
【請求項２】
紫外線防止効果があり、かつ通気性の高いメッシュ生地を使用することで、顔面を紫外線から守りながらも息苦しくさせない、請求項１に記載の日除け用顔面マスク。
(57)【要約】      （修正有）【課題】コースター自体が光ることで、照明の落されている環境でも、目をひき、目新しい、遊び心ある、そして見る人の心が癒される効果が付加されたコースターを提供する。【解決手段】コースター蓋部１は、柔軟性のあるプラスチックで成形する。コースター底部２の中央に、７色点灯型ＬＥＤ３をボタン電池４とともに配置する。ボタン電池４からの配線（金属板）５が、もう一方の配線（金属板）６とつながらないように配置しておく。コースター蓋部１とコースター底部２は、接合部７で一体となる。以上のコースターは次のようにして使用する。コースターに物（コップ１０など）を置いた時に、置いたものの重さが、コースター蓋部の中央部８にかかり、９のボタンを押し、７色点灯型ＬＥＤ３に電流が流れ、ＬＥＤが点灯、点滅する。【選択図】図１
0003147098.tif 000002
【実用新案登録請求の範囲】
【請求項１】
光の変化する光源である発光体を備えたことを特徴とするコースター。
コースター自体が光ることで、照明の落とされている環境でも、目をひき、目新しい、遊び心ある、そして見る人の心が癒される効果が付加されたコースター。
【考案の詳細な説明】
【技術分野】
【０００１】本考案は、コップや杯の下に敷くコースターに関する。
【背景技術】
【０００２】従来、一般にあるコースターは、一般にコップや杯の下の敷物としての役目がある。材料としては、木、布、紙、コルク、ゴムなどの多種にわたっている。視覚的印象を高めるため、絵が施されたり、繊維が編まれたものであったり、色彩に工夫されているものもある。飲食店では、うたい文句やロゴを印刷して宣伝効果を高めようとするなどの、付加価値をもたせた物も見受けられる。
【考案の開示】
【考案が解決しようとする課題】
【０００３】しかしながら、前述の従来のコースターは、周囲に十分な明るさが必要であり、照がおとされている室内では、その場所の照明が不足しているため、コースターの面に描かれた絵や文字、またその質感の視覚的魅力が引き出されず、単なるコの敷物の役目を果たすにとどまってしまう。照明の落とされている飲食店から、フベートタイムの室内で、コップの敷物にとどまらない、遊び心ある、あるいは、癒さ目新しいデザイン性のあるコースターの開発の要望があった。
【課題を解決するための手段】
【０００４】本考案は以上の点を解決するために、光の変化する光源である発光体を備えたことを特徴とするコースターを提供する。コースター自体が光ることで、照明の落されている環境でも、目をひき、目新しい、遊び心ある、そして見る人の心が癒さ効果が付加されたコースターを提供することにある。
【考案の効果】
【０００５】本発明のコースターには次のような効果がある
〈効果〉
コースターにのせた物（コップ）を持ち上げれば、消灯する。物が液体をいれたコップなどであれば、コップや液体の重量で、ＬＥＤが点灯するかしないかが決まり変化を楽しむことが出来る。
【考案を実施するための最良の形態】
【０００６】以下、本発明を図を用いて詳細に説明する。
【実施例】
【０００７】図面に、本発明のコースターの具体的斜視図を示す。
コースター蓋部１は、柔軟性のあるプラスチックで成形する。コースター底部２の中央に、７色点灯型ＬＥＤ３をボタン電池４とともに配置する。
ボタン電池４からの配線（金属板）５が、もう一方の配線（金属板）６とつながらないように配置したおく。
コースター蓋部１とコースター底部２は、接合部７で一体となる。【０００８】以上のコースターは次のようにして使用する。
コースターに物（コップ１０など）を置いた時に、置いたものの重さが、コースター蓋部の中央部８にかかり、９のボタンを押し、７色点灯型ＬＥＤ３に電流が流れ、ＬＥＤが点灯、点滅する。（Ｂ）
コースターにのせた物（コップ１０）を持ち上げれば、消灯する。物が液体をいれたコップなどであれば、コップや液体の重量で、ＬＥＤが点灯するかしないかが決まり変化を楽しむことが出来る。
【図面の簡単な説明】
【０００９】
【Ａ】
この発明のコースターの具体的斜視図を示す。
【Ｂ】
この発明の使用図を示す。
【符号の説明】
【００１０】１  上蓋
２  底部
３  ＬＥＤ
４  電池
５  銅線
６  銅線
７  接合部
８  蓋部の中央部
９  スイッチ
１０  コップ
0003147098.tif 000003
【手続補正書】
【提出日】平成20年9月10日(2008.9.10)
【手続補正１】
【補正対象書類名】実用新案登録請求の範囲
【補正対象項目名】全文
【補正方法】変更
【補正の内容】
【実用新案登録請求の範囲】
【請求項１】
色の変化する発光体を内蔵したコースターで、その上に物を置くとスイッチが押され、筺体内部より色を変えつつ光ることで、照明の暗い環境でも、目をひき、目新しい、遊び心ある、見る人の心が癒される効果が付加されたコースター。
【手続補正２】
【補正対象書類名】明細書
【補正対象項目名】０００９
【補正方法】変更
【補正の内容】
【０００９】
【図１】（Ａ）この発明のコースターの具体的斜視図を示す。  （Ｂ）この発明の使用図を示す。
【手続補正３】
【補正対象書類名】図面
【補正対象項目名】全図
【補正方法】変更
【補正の内容】
【図１】
0003147098.tif 000004